Podtech/llm-jp-corpus-v4-ja_patent huggingface dataset:
【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
−  メラトニンのモジュレーションに関与する遺伝子中の少なくとも１つの遺伝子変化を同定し、及び/又は
−  該遺伝子のmRNA転写物レベルをアッセイし、及び/又は
−  個体サンプル中のメラトニン生合成経路に関与する酵素の酵素活性をアッセイし、及び/又は
−  メラトニンレベルをアッセイする
ことを含んでなり、精神障害のない個体と比較して、遺伝子変化の同定及び/又は酵素活性の減少及び/又は該遺伝子の転写物レベルの減少及び/又はメラトニンレベルの減少が、その個体が精神障害を発症する可能性の指標である、個体の精神障害を発症する可能性を決定する方法。
【請求項２】
前記遺伝子がASMT遺伝子であることを特徴とする請求項１に記載の方法。
【請求項３】
前記遺伝子変化が点変異であることを特徴とする請求項２に記載の方法。
【請求項４】
前記点変異が配列番号１中の位置により規定される17位、81位、210位、306位又は326位での変異であることを特徴とする請求項３に記載の方法。
【請求項５】
前記点変異がN17K変異であることを特徴とする請求項４に記載の方法。
【請求項６】
該点変異がK81E変異であることを特徴とする請求項４に記載の方法。
【請求項７】
前記点変異がR210H変異であることを特徴とする請求項４に記載の方法。
【請求項８】
前記点変異がG306A変異であることを特徴とする請求項４に記載の方法。
【請求項９】
前記点変異がL326F変異であることを特徴とする請求項４に記載の方法。
【請求項１０】
前記遺伝子変化がスプライス部位変異であることを特徴とする請求項２に記載の方法。
【請求項１１】
前記スプライス部位変異がIVS5+2T>Cであることを特徴とする請求項９に記載の方法。
【請求項１２】
前記遺伝子変化が前記ASMT遺伝子の単一ヌクレオチド多型(SNP)中に位置することを特徴とする請求項２に記載の方法。
【請求項１３】
前記SNPがRs5989681又はRs6588809であることを特徴とする請求項１２に記載の方法。
【請求項１４】
前記点変異が配列番号２中の位置により規定される17位、81位、228位又は298位での変異であることを特徴とする請求項３に記載の方法。
【請求項１５】
前記点変異が配列番号３中の位置により規定される17位、81位、231位又は251位での変異であることを特徴とする請求項３に記載の方法。
【請求項１６】
前記遺伝子がAA.NAT遺伝子であることを特徴とする請求項１に記載の方法。
【請求項１７】
前記遺伝子変化が点変異であることを特徴とする請求項１５に記載の方法。
【請求項１８】
前記点変異が配列番号４中の位置により規定される３位、13位、62位、157位又は163位での変異であることを特徴とする請求項１７に記載の方法。
【請求項１９】
前記点変異がT3M変異であることを特徴とする請求項１８に記載の方法。
【請求項２０】
前記点変異がA13S変異であることを特徴とする請求項１８に記載の方法。
【請求項２１】
前記点変異がV62I変異であることを特徴とする請求項１８に記載の方法。
【請求項２２】
前記点変異がA157V変異であることを特徴とする請求項１８に記載の方法。
【請求項２３】
前記点変異がA163V変異であることを特徴とする請求項１８に記載の方法。
【請求項２４】
前記酵素がHIOMT(ヒドロキシインドール-Ｏ-メチルトランスフェラーゼ)又はその機能的誘導体からなることを特徴とする請求項１に記載の方法。
【請求項２５】
前記遺伝子がメラトニンレセプターをコードする遺伝子であることを特徴とする請求項１に記載の方法。
【請求項２６】
前記メラニンレセプターがMTNR1A又はMTNR1Bからなることを特徴とする請求項２５に記載の方法。
【請求項２７】
前記遺伝子変化が点変異であることを特徴とする請求項２５又は２６に記載の方法。
【請求項２８】
前記点変異が配列番号５中の位置により規定されるMTNR1Aレセプター中のY170X変異であることを特徴とする請求項２７に記載の方法。
【請求項２９】
前記精神障害が自閉症スペクトラム障害(ASD)、注意欠陥・多動性障害(ADHD)及び無食欲症からなる群より選択されることを特徴とする請求項１〜２８のいずれか１項に記載の方法。
【請求項３０】
許容され得るキャリア及び治療有効量のメラトニンモジュレーション促進分子を含んでなる、メラトニンのモジュレーションに関与する欠陥遺伝子を有する個体における精神障害を治療及び/又は予防するための組成物。
【請求項３１】
前記分子がポリペプチドであることを特徴とする請求項３０に記載の組成物。
【請求項３２】
前記ポリペプチドが酵素であることを特徴とする請求項３１に記載の組成物。
【請求項３３】
前記酵素がHIOMT(ヒドロキシインドール-Ｏ-メチルトランスフェラーゼ)酵素又はその機能的誘導体であることを特徴とする請求項３２に記載の組成物。
【請求項３４】
個体に請求項３０〜３２のいずれか１項に記載の組成物を投与することを含んでなる、メラトニンのモジュレーションに関与する欠陥遺伝子を有する個体における精神障害を治療及び/又は予防するための方法。
【請求項３５】
前記精神障害が自閉症スペクトラム障害(ASD)、注意欠陥・多動性障害(ADHD)及び無食欲症からなる群より選択されることを特徴とする請求項３４に記載の方法。
【請求項３６】
個体にメラトニン又はその機能的誘導体を含んでなる組成物を投与することを含んでなる、個体においてASDを治療及び/又は予防するための方法。
【請求項３７】
ポリペプチド又はその機能的誘導体が配列番号１に規定されるアミノ酸配列中に点変異を含んでなることを特徴とする、該ポリペプチド又はその機能的誘導体をコードする単離されたポリヌクレオチド。
【請求項３８】
ポリペプチド又はその機能的誘導体が配列番号４に規定されるアミノ酸配列中に点変異を含んでなることを特徴とする、該ポリペプチド又はその機能的誘導体をコードする単離されたポリヌクレオチド。
【請求項３９】
ポリペプチド又はその機能的誘導体が配列番号５に規定されるアミノ酸配列中に点変異を含んでなることを特徴とする、該ポリペプチド又はその機能的誘導体をコードする単離されたポリヌクレオチド。
【請求項４０】
ASMT遺伝子の調節配列を含んでなり、該調節配列が該ASMT遺伝子の野生型調節配列と比較して挿入/欠失変異を含んでなることを特徴とする、単離されたポリヌクレオチド。
【請求項４１】
AANAT遺伝子の調節配列を含んでなり、該調節配列が該AANAT遺伝子の野生型調節配列と比較して挿入/欠失変異を含んでなることを特徴とする、単離されたポリヌクレオチド。
【請求項４２】
前記調節配列がプロモーターからなることを特徴とする請求項４０又は４１に記載の単離されたポリヌクレオチド。
【請求項４３】
請求項３７、３８又は３９に記載のポリヌクレオチドによりコードされる単離されたポリペプチド。
【手続補正書】
【提出日】平成21年10月8日(2009.10.8)
【手続補正１】
【補正対象書類名】特許請求の範囲
【補正対象項目名】全文
【補正方法】変更
【補正の内容】
【特許請求の範囲】
【請求項１】
１０〜５０個の間のヌクレオチドからなり、ＵＵＵｒ−（Ｘ）ｎ−ＵＵＵｒ、またはＵＵ−Ｘ−ＵＵ−Ｘ−ＵＵ、またはＹ（Ｕ）ｐＹから選択される配列を含む一本鎖オリゴヌクレオチドであって、
Ｕが、それぞれ独立して、ウラシル含有ヌクレオチドから選択され、
Ｙが、それぞれ独立して、非ウラシル含有ヌクレオチドから選択され、
Ｘが、それぞれ独立して、任意のヌクレオチドから選択され、
ｒが１〜３の整数であり、
ｎが１〜４の整数であり、
ｐが４よりも大きい整数であり、そして
前記オリゴヌクレオチドが、少なくとも１つの非ウラシル含有ヌクレオチドまたは少なくとも１つの非天然結合を含む一本鎖オリゴヌクレオチド。
【請求項２】
前記オリゴヌクレオチドが、１０〜１９個の間のヌクレオチドからなる、請求項１に記載のオリゴヌクレオチド。
【請求項３】
前記オリゴヌクレオチドが、１９〜５０個の間のヌクレオチドからなる、請求項１に記載のオリゴヌクレオチド。
【請求項４】
前記オリゴヌクレオチドが、１５〜３０個の間のヌクレオチドからなる、請求項３に記載のオリゴヌクレオチド。
【請求項５】
前記オリゴヌクレオチドが、２１〜３０個の間のヌクレオチドからなる、請求項４に記載のオリゴヌクレオチド。
【請求項６】
前記オリゴヌクレオチドが、１５〜２１個の間のヌクレオチドからなる、請求項４に記載のオリゴヌクレオチド。
【請求項７】
前記オリゴヌクレオチドが配列ＵＵＵｒ−（Ｘ）ｎ−ＵＵＵｒを含み、ｒが２であり、そしてｎが１である、請求項１に記載のオリゴヌクレオチド。
【請求項８】
前記オリゴヌクレオチドが配列（ＵＵＵ−（Ｘ）ｎ）ｍを含み、ｎが１〜４の整数であり、そしてｍが２よりも大きい整数である、請求項１に記載のオリゴヌクレオチド。
【請求項９】
ｎが１である、請求項８に記載のオリゴヌクレオチド。
【請求項１０】
ｍが３または４である、請求項８に記載のオリゴヌクレオチド。
【請求項１１】
前記オリゴヌクレオチドが配列Ｙ（Ｕ）ｐＹを含み、ｐが９よりも大きい整数である、請求項１に記載のオリゴヌクレオチド。
【請求項１２】
Ｕがそれぞれウリジンであり、前記オリゴヌクレオチドが少なくとも１つの非天然結合を含む、請求項１に記載のオリゴヌクレオチド。
【請求項１３】
１つ以上のホスホロチオエート結合を含むと共に完全にウリジンからなる２１−ｍｅｒと、少なくとも１０の連続したウリジンを含む２１−ｍｅｒと、配列ＵＵＸＵＵＸＵＵＸＵＵＸＵＵ（Ｕはそれぞれウリジンであり、Ｘはそれぞれ独立して任意のヌクレオチドから選択される）を含む２１−ｍｅｒとから選択される、請求項１に記載のオリゴヌクレオチド。
【請求項１４】
前記オリゴヌクレオチドが、少なくとも５０％のウラシル含有ヌクレオチドを含む、請求項１に記載のオリゴヌクレオチド。
【請求項１５】
前記オリゴヌクレオチドが、ｐｏｌｙＵｏ−２１、ｐｏｌｙＵｏ−１５、ｐｏｌｙＵｏ−１０、ｐｏｌｙＵｓ−２１、ｐｏｌｙＵｓ−１５、ｐｏｌｙｄＵｏ−２１、ｐｏｌｙｄＵｓ−２１、ＳＳＤ８、ＳＳＤ９、ＳＳＤ１０、ＳＳＤ１３、ＳＳＤ１４、ＳＳＤ１５、ＳＳＤ２１、ＳＳＤ２２、ＳＳＤ２３、ＳＳＤ２４、ＳＳＤ２８またはＳＳＤ２９から選択される、請求項１に記載のオリゴヌクレオチド。
【請求項１６】
１１〜５０個の間のヌクレオチドからなり、ＧＧＧ−（Ｘ）ｎ−ＧＧＧ、ＧＧ−Ｘ−ＧＧ−Ｘ−ＧＧ、またはＺ（Ｇ）ｐＺから選択される配列を含む一本鎖オリゴヌクレオチドであって、
Ｇが、それぞれ独立して、グアニン含有ヌクレオチドから選択され、
Ｘが、それぞれ独立して、任意のヌクレオチドから選択され、
Ｚが、それぞれ独立して、非グアニンヌクレオチドから選択され、
ｎが、１〜４の整数であり、
ｐが、４よりも大きい整数であり、そして
前記オリゴヌクレオチドが、少なくとも１つの非グアニン含有ヌクレオチドまたは少なくとも１つの非天然結合を含む一本鎖オリゴヌクレオチド。
【請求項１７】
ａ．１０〜５０個の間のヌクレオチドからなり、ＵＵＵ−（Ｘ）ｎ−ＵＵＵ、またはＵＵ−Ｘ−ＵＵ−Ｘ−ＵＵ、またはＹ（Ｕ）ｐＹ（式中、
Ｕはそれぞれ独立してウラシル含有ヌクレオチドから選択され、
Ｘはそれぞれ独立して任意のヌクレオチドから選択され、
ｎは１〜４の整数であり、そして
ｐは４よりも大きい整数である）
から選択される配列を含む有効量の一本鎖オリゴヌクレオチドと、
ｂ．薬学的に許容可能なキャリアと、
を含む医薬品組成物。
【請求項１８】
ａ．１１〜５０個の間のヌクレオチドからなり、ＧＧＧ−（Ｘ）ｎ−ＧＧＧ、ＧＧ−Ｘ−ＧＧ−Ｘ−ＧＧ、またはＺ（Ｇ）ｐＺ（式中、
Ｇはそれぞれ独立してグアニン含有ヌクレオチドから選択され、
Ｘはそれぞれ独立して任意のヌクレオチドから選択され、
Ｚはそれぞれ独立して非グアニンヌクレオチドから選択され、
ｎは１〜４の整数であり、そして
ｐは４よりも大きい整数である）
から選択される配列を含む有効量の一本鎖オリゴヌクレオチドと、
ｂ．薬学的に許容可能なキャリアと、
を含む医薬品組成物。
【請求項１９】
前記オリゴヌクレオチドが、緻密化剤またはリポソームと複合体を形成する、請求項１７または１８に記載の医薬品組成物。
【請求項２０】
前記緻密化剤がポリエチレンイミンである、請求項１９に記載の医薬品組成物。
【請求項２１】
抗原をさらに含む、請求項１７または１８に記載の医薬品組成物。
【請求項２２】
前記抗原が、ウィルス抗原、癌抗原またはアレルゲンから選択される、請求項２１に記載の医薬品組成物。
【請求項２３】
ＴＬＲ７を発現する細胞においてＴＬＲ７活性を刺激する方法であって、前記細胞を請求項１に記載のオリゴヌクレオチドと接触させるステップを含む方法。
【請求項２４】
ＴＬＲ８を発現する細胞においてＴＬＲ８活性を刺激する方法であって、前記細胞を請求項１６に記載のオリゴヌクレオチドと接触させるステップを含む方法。
【請求項２５】
被験者の免疫応答を刺激する方法であって、前記患者に請求項１７または１８に記載の組成物を投与するステップを含む方法。
【請求項２６】
前記方法が、癌、感染症、アレルギー、喘息、または自己免疫疾患を治療または予防するために使用されるか、あるいは、疾患、手術、または免疫抑制薬の投与に起因する患者の免疫機能を高めるために使用される、請求項２５に記載の方法。
【誤訳訂正書】
【提出日】平成21年8月21日(2009.8.21)
【誤訳訂正１】
【訂正対象書類名】特許請求の範囲
【訂正対象項目名】請求項８
【訂正方法】変更
【訂正の内容】
【請求項８】
アミノ-4-デオキシ-コリスミ酸シンターゼをコードする遺伝子を欠失させることを特徴とする、請求項7記載の方法。
【誤訳訂正２】
【訂正対象書類名】特許請求の範囲
【訂正対象項目名】請求項１４
【訂正方法】変更
【訂正の内容】
【請求項１４】
アミノ-4-デオキシ-コリスミ酸シンターゼおよび4-アミノ-4-デオキシ-コリスミ酸リアーゼをコードする遺伝子を欠失させることを特徴とする、請求項3〜13のいずれか1つに記載の方法。
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
配列番号３の親ポリペプチドと少なくとも９０％のアミノ酸配列同一性を持つ単離されたバチルス種中性金属プロテアーゼ変異体であり、親ポリペプチドに関してS023, Q45, T59, S66, S129, F130, M138, V190, S199, D220, K211, K214 及びG222よりなる群から選択される位置の少なくとも一つに置換を持ち、前記変異体は前記親ポリペプチドと比べて改良された熱安定性を持つ、前記変異体。
【請求項２】
前記置換がQ45E, T59P, S66E, S129I, S129V, F130L, M138I, V190I, S199E, D220P, D220E, K211V, K214Q, G222C, T004V/S023N, T059K/S66Q/S129I, T059R/S66N/S129I及びT059K/S66Q/S129Vよりなる群から選択される、請求項１の中性金属プロテアーゼ変異体。
【請求項３】
前記置換がS129I及びS129Vよりなる群から選択される、請求項１の中性金属プロテアーゼ変異体。
【請求項４】
前記置換がD220P及びD220Eよりなる群から選択される、請求項１の中性金属プロテアーゼ変異体。
【請求項５】
前記バチルス種中性金属プロテアーゼがバチルス  アミロリケファシエンス中性金属プロテアーゼである、請求項１の中性金属プロテアーゼ変異体。
【請求項６】
前記変異体の熱安定性が親ポリペプチドと比べて洗剤組成物中で少なくとも１℃高い、請求項１の中性金属プロテアーゼ変異体。
【請求項７】
前記洗剤組成物がTIDE（登録商標）である、請求項６の中性金属プロテアーゼ変異体。
【請求項８】
前記熱安定性が220又は440 ppmのポリペプチド濃度で示差走査熱量計により決定される、請求項１の中性金属プロテアーゼ変異体。
【請求項９】
更に、親ポリペプチドと比べて改良された洗濯能力を持つ、請求項１の中性金属プロテアーゼ変異体。
【請求項１０】
更に、親ポリペプチドと比べてｐHのより低い又は高い条件下で改良された能力を持つ、請求項１の中性金属プロテアーゼ変異体。
【請求項１１】
更に、親ポリペプチドと比べて改良された保存安定性を持つ、請求項１の中性金属プロテアーゼ変異体。
【請求項１２】
配列番号３の親ポリペプチドと少なくとも９５％のアミノ酸配列同一性を持つ、請求項１の中性金属プロテアーゼ変異体。
【請求項１３】
請求項１の中性金属プロテアーゼ変異体を含む洗浄組成物。
【手続補正書】
【提出日】平成21年10月29日(2009.10.29)
【手続補正１】
【補正対象書類名】特許請求の範囲
【補正対象項目名】全文
【補正方法】変更
【補正の内容】
【特許請求の範囲】
【請求項１】
フェニルアラニンアンモニアリアーゼ、トランスケイ皮酸−４−ヒドロキシラーゼ、４−クマル酸：ＣｏＡリガーゼ、カルコンシンターゼ、カルコンレダクターゼ、カルコンイソメラーゼ、フラバノン３−ヒドロキシラーゼ、フラボノイド３’，５’−ヒドロキシラーゼ、ジヒドロフラボノール−４−レダクターゼ、ロイコアントシアニジンジオキシゲナーゼ、ロイコアントシアニジンレダクターゼ及びアントシアニジンレダクターゼから選択されるフェニルプロパノイド又はフラボノイド生合成経路酵素をコードするコード配列を有する、コーヒー（コーヒーノキ属種）から単離された核酸分子。
【請求項２】
前記コード配列がフェニルアラニンアンモニアリアーゼをコードする、請求項１に記載の核酸分子。
【請求項３】
前記フェニルアラニンアンモニアリアーゼが、配列番号２０と８５．２％超同一であるアミノ酸配列を有する、請求項２に記載の核酸分子。
【請求項４】
前記フェニルアラニンアンモニアリアーゼが、配列番号２０を含むアミノ酸配列を有する、請求項３に記載の核酸分子。
【請求項５】
前記フェニルアラニンアンモニアリアーゼが、配列番号２１と８３．９％超同一であるアミノ酸配列を有する、請求項２に記載の核酸分子。
【請求項６】
前記フェニルアラニンアンモニアリアーゼが、配列番号２１を含むアミノ酸配列を有する、請求項５に記載の核酸分子。
【請求項７】
前記フェニルアラニンアンモニアリアーゼが、配列番号２２と８２．６％超同一であるアミノ酸配列を有する、請求項２に記載の核酸分子。
【請求項８】
前記フェニルアラニンアンモニアリアーゼが、配列番号２２を含むアミノ酸配列を有する、請求項７に記載の核酸分子。
【請求項９】
前記コード配列が配列番号１、配列番号２又は配列番号３を含む、請求項２に記載の核酸分子。
【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
ポリペプチドを含むファージであって、前記ポリペプチドが少なくとも１個の翻訳後修飾アリール−アジド非天然アミノ酸残基を含み、前記翻訳後修飾アリール−アジド非天然アミノ酸残基がスタウディンガーライゲーション反応により生成される前記ファージ。
【請求項２】
前記ファージが繊維状ファージ又は組換えＭ１３ファージである請求項１に記載のファージ。
【請求項３】
前記ポリペプチドが融合ポリペプチドである請求項１に記載のファージ。
【請求項４】
前記融合ポリペプチドが、プロテアーゼにより認識されかつ開裂され得るアミノ酸配列を含んだペプチドリンカーを含む請求項３に記載のファージ。
【請求項５】
前記プロテアーゼが第Ｘａ因子、第ＸＩａ因子、カリクレイン、トロンビン、第ＸＩＩａ因子、コラゲナーゼ及びエンテロキナーゼから選択される請求項４に記載のファージ。
【請求項６】
前記アリール−アジド非天然アミノ酸残基がパラ−アジド−Ｌ−フェニルアラニン残基である請求項１に記載のファージ。
【請求項７】
翻訳後修飾ファージの作製方法であって、
（ａ）少なくとも１個のアリール−アジド非天然アミノ酸残基を組込んだポリペプチドを含むファージを提供する段階と；
（ｂ）前記非天然アミノ酸残基がスタウディンガーライゲーション反応を含む共有結合的修飾を受ける条件下で前記ファージを反応させることにより、翻訳後修飾ファージを作製する段階を含む前記方法。
【請求項８】
前記少なくとも１個のアリール−アジド非天然アミノ酸残基がパラ−アジド−Ｌ−フェニルアラニン残基である請求項７に記載の方法。
【請求項９】
前記提供段階が、
（ｉ）Ａ）前記ファージをコードする核酸分子（但し、前記核酸分子は前記ポリペプチドをコードするポリヌクレオチドサブ配列を含み、前記ポリヌクレオチドサブ配列は少なくとも１個のセレクターコドンを含む）と；
Ｂ）前記宿主細胞で直交性のアミノアシルｔＲＮＡシンテターゼ（Ｏ−ＲＳ）をコードする核酸分子と；
Ｃ）前記宿主細胞で直交性のｔＲＮＡ（Ｏ−ｔＲＮＡ）をコードする核酸分子（但し、前記Ｏ−ＲＳは前記宿主細胞で前記Ｏ−ｔＲＮＡを前記非天然アミノ酸で優先的にアミノアシル化し、前記セレクターコドンは前記Ｏ−ｔＲＮＡにより認識される）と；
Ｄ）アリール−アジド非天然アミノ酸を含む真正細菌宿主細胞を提供する段階と；
（ｉｉ）前記宿主細胞を培養することにより、前記ポリヌクレオチドサブ配列によりコードされるポリペプチドを生成し、翻訳中にセレクターコドンに応答して前記アリール−アジド非天然アミノ酸を前記ポリペプチドに組込むと共に、前記ポリヌクレオチドサブ配列によりコードされるポリペプチドを含むファージを作製し、前記アリール−アジド非天然アミノ酸を前記ポリペプチドに組込む段階を含む請求項７に記載の方法。
【請求項１０】
前記提供段階がＯ−ＲＳをコードする核酸分子を含む真正細菌宿主細胞を提供する段階を含み、前記Ｏ−ＲＳがＭｅｔｈａｎｏｃｏｃｃｕｓ  ｊａｎｎａｓｃｈｉｉアミノアシルｔＲＮＡシンテターゼ又はＭｅｔｈａｎｏｃｏｃｃｕｓ  ｊａｎｎａｓｃｈｉｉチロシルｔＲＮＡシンテターゼから誘導される請求項９に記載の方法。
【請求項１１】
ポリペプチドを含む生存可能なファージであって、前記ポリペプチドが少なくとも１個の翻訳後修飾非天然アミノ酸残基を含む前記ファージ。
【請求項１２】
前記翻訳後修飾非天然アミノ酸残基がアリール−アジド非天然アミノ酸残基又はパラ−アジド−Ｌ−フェニルアラニン残基である請求項１１に記載の生存可能なファージ。
【請求項１３】
前記翻訳後修飾非天然アミノ酸残基がスタウディンガーライゲーション反応により生成される請求項１１に記載の生存可能なファージ。
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
オリゴデンドロサイトを産生する方法であって、胎盤幹細胞を、前記幹細胞がオリゴデンドロサイトの特徴を示すのに十分な条件下及び時間で培養することを含む、前記方法。
【請求項２】
前記特徴が、ミエリンオリゴデンドロサイト特異的タンパク質の産生又はミエリンオリゴデンドロサイト特異的タンパク質をコードする遺伝子の発現である、請求項1記載の方法。
【請求項３】
前記培養が、前記幹細胞をイソブチルメチルキサンチン（IBMX）と接触させることを含む、請求項1記載の方法。
【請求項４】
胎盤幹細胞を、前記幹細胞がオリゴデンドロサイトの特徴を示すのに十分な時間、イソブチルメチルキサンチン（IBMX）と接触させることを含む、オリゴデンドロサイトの産生方法であって、前記特徴が、ミエリンオリゴデンドロサイト特異的タンパク質の産生又はミエリンオリゴデンドロサイト特異的タンパク質をコードする遺伝子の発現であり、かつ前記胎盤幹細胞が栄養膜ではない、前記方法。
【請求項５】
前記胎盤幹細胞が、マーカーCD73、CD105、CD200、HLA-G又はOCT-4の１つ以上を発現し、かつCD34、CD38又はCD45の１つ以上を発現しない、請求項4記載の方法。
【請求項６】
前記胎盤幹細胞が：  
CD200+かつHLA-G+である；
CD73+、CD105+かつCD200+である；
CD200+かつ OCT-4+である；
CD73+、CD105+かつHLA-G+である；
CD73+かつCD105+であり、かつ該幹細胞を含む胎盤細胞の集団における1つ以上の胚様体様体の形成を、前記集団が胚様体様体の形成が可能な条件下で培養されるときに促進する；又は
OCT-4+であり、かつ該幹細胞を含む胎盤細胞の集団における1つ以上の胚様体様体の形成を、前記集団が胚様体様体の形成が可能な条件下で培養されるときに促進する；あるいはそれらの任意の組合せである、請求項4記載の方法。
【請求項７】
前記胎盤幹細胞が、CD10+、CD34-、CD105+かつCD200+である、請求項4記載の方法。
【請求項８】
請求項1〜7のいずれか1項記載の方法によって産生されるオリゴデンドロサイト。
【請求項９】
異常な髄鞘形成と関連する疾患、障害又は状態を有する対象の治療における、請求項8記載のオリゴデンドロサイトの使用。
【請求項１０】
異常な髄鞘形成と関連する疾患、障害又は状態を有する対象の治療用医薬の調製における、請求項8記載のオリゴデンドロサイトの使用。
【請求項１１】
異常な髄鞘形成と関連する疾患、障害又は状態を有する対象の治療における、オリゴデンドロサイトの使用であって：
胎盤幹細胞を、該幹細胞がミエリンオリゴデンドロサイト特異的タンパク質の産生又はミエリンオリゴデンドロサイト特異的タンパク質をコードする遺伝子の発現を示すのに十分な時間、イソブチルメチルキサンチン（IBMX）と接触させることを含む方法によって、前記オリゴデンドロサイトが産生され；
前記胎盤幹細胞が栄養膜ではなく；かつ
前記胎盤幹細胞が：
CD10+、CD34-、CD105+かつCD200+である；
CD200+かつHLA-G+である；
CD73+、CD105+かつCD200+である；
CD200+かつ OCT-4+である；
CD73+、CD105+かつHLA-G+である；
CD73+かつCD105+であり、かつ該幹細胞を含む胎盤細胞の集団における1つ以上の胚様体様体の形成を、前記集団が胚様体様体の形成が可能な条件下で培養されるときに促進する；又は
OCT-4+であり、かつ該幹細胞を含む胎盤細胞の集団における1つ以上の胚様体様体の形成を、前記集団が胚様体様体の形成が可能な条件下で培養されるときに促進する；あるいはそれらの任意の組合せである、
前記使用。
【請求項１２】
異常な髄鞘形成と関連する疾患、障害又は状態を有する対象の治療用医薬の調製における、オリゴデンドロサイトの使用であって：
胎盤幹細胞を、該幹細胞がミエリンオリゴデンドロサイト特異的タンパク質の産生又はミエリンオリゴデンドロサイト特異的タンパク質をコードする遺伝子の発現を示すのに十分な時間、イソブチルメチルキサンチン（IBMX）と接触させることを含む方法によって、前記オリゴデンドロサイトが産生され；
前記胎盤幹細胞が栄養膜ではなく；かつ
前記胎盤幹細胞が：
CD10+、CD34-、CD105+かつCD200+である；
CD200+かつHLA-G+である；
CD73+、CD105+かつCD200+である；
CD200+かつ OCT-4+である；
CD73+、CD105+かつHLA-G+である；
CD73+かつCD105+であり、かつ該幹細胞を含む胎盤細胞の集団における1つ以上の胚様体様体の形成を、前記集団が胚様体様体の形成が可能な条件下で培養されるときに促進する；又は
OCT-4+であり、かつ該幹細胞を含む胎盤細胞の集団における1つ以上の胚様体様体の形成を、前記集団が胚様体様体の形成が可能な条件下で培養されるときに促進する；あるいはそれらの任意の組合せである、
前記使用。
【請求項１３】
前記疾患、障害又は状態が多発性硬化症である、請求項9〜12記載の使用。
【手続補正書】
【提出日】平成21年10月13日(2009.10.13)
【手続補正１】
【補正対象書類名】特許請求の範囲
【補正対象項目名】全文
【補正方法】変更
【補正の内容】
【特許請求の範囲】
【請求項１】
1つ以上のポリヌクレオチドを含有するサンプルを該1つ以上のポリヌクレオチドの分析に適した形態に変換するためのマイクロ流体システムであって、以下の要素：
挿入可能かつ除去可能なカートリッジと連絡しているカートリッジ受取要素；
前記カートリッジの1つ以上の領域を加熱するように構成された前記カートリッジ受取要素と連絡している加熱要素；及び
前記加熱要素と連絡している制御回路；
を含み、
前記挿入可能カートリッジが、
前記加熱要素及び前記制御回路と共同して、前記サンプル及び1つ以上の試薬を受け入れ、かつ前記サンプルと前記試薬を反応させて、前記1つ以上のポリヌクレオチドの分析に適した調製サンプルを生成するように構成された少なくとも1つのマイクロ流体構成要素、を含む、
前記マイクロ流体システム。
【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
コポリアミドを含むポリアミド組成物を含む、少なくとも１つの同心の層を含む管であって、前記コポリアミドは、
（ａ）（ｉ）８〜２０個の炭素原子を有する少なくとも１つの芳香族ジカルボン酸、および／または８〜２０個の炭素原子を有する少なくとも１つの脂環式ジカルボン酸、ならびに４〜２０個の炭素原子を有する少なくとも１つの脂肪族ジアミン、ならびに
（ｉｉ）６〜２０個の炭素原子を有する少なくとも１つの芳香族ジアミン、および／または６〜２０個の炭素原子を有する少なくとも１つの脂環式ジアミン、ならびに４〜２０個の炭素原子を有する少なくとも１つの脂肪族ジカルボン酸
からなる群の１つまたは複数から選択されるモノマーから誘導される繰り返し単位と、
（ｂ）（ｉｉｉ）６〜３６個の炭素原子を有する少なくとも１つの脂肪族ジカルボン酸、および４〜２０個の炭素原子を有する少なくとも１つの脂肪族ジアミン、ならびに
（ｉｖ）４〜２０個の炭素原子を有する少なくとも１つのラクタムおよび／またはアミノカルボン酸
からなる群の１つまたは複数から選択されるモノマーから誘導される繰り返し単位と
を含み；
前記コポリアミドが、約２４０℃以下の融点と、少なくとも約３０μｅｑ／ｇのアミン末端と、ｍ−クレゾール中で測定して少なくとも約１．２の固有粘度とを有することを特徴とする管。
【手続補正２】
【補正対象書類名】明細書
【補正対象項目名】００２８
【補正方法】変更
【補正の内容】
【００２８】
本発明の管は良好な耐加水分解性を有し、原油、炭化水素、アルコール、およびそれらの混合物の移送が必要な用途における使用に特に好適である。
本発明は以下の実施の態様を含むものである。
１．コポリアミドを含むポリアミド組成物を含む、少なくとも１つの同心の層を含む管であって、前記コポリアミドは、
（ａ）（ｉ）８〜２０個の炭素原子を有する少なくとも１つの芳香族ジカルボン酸、および／または８〜２０個の炭素原子を有する少なくとも１つの脂環式ジカルボン酸、ならびに４〜２０個の炭素原子を有する少なくとも１つの脂肪族ジアミン、ならびに
（ｉｉ）６〜２０個の炭素原子を有する少なくとも１つの芳香族ジアミン、および／または６〜２０個の炭素原子を有する少なくとも１つの脂環式ジアミン、ならびに４〜２０個の炭素原子を有する少なくとも１つの脂肪族ジカルボン酸
からなる群の１つまたは複数から選択されるモノマーから誘導される繰り返し単位と、
（ｂ）（ｉｉｉ）６〜３６個の炭素原子を有する少なくとも１つの脂肪族ジカルボン酸、および４〜２０個の炭素原子を有する少なくとも１つの脂肪族ジアミン、ならびに
（ｉｖ）４〜２０個の炭素原子を有する少なくとも１つのラクタムおよび／またはアミノカルボン酸
からなる群の１つまたは複数から選択されるモノマーから誘導される繰り返し単位と
を含み；
前記コポリアミドが、約２４０℃以下の融点と、少なくとも約３０μｅｑ／ｇのアミン末端と、ｍ−クレゾール中で測定して少なくとも約１．２の固有粘度とを有することを特徴とする管。
２．繰り返し単位（ｂ）がデカン二酸および／またはドデカン二酸、ならびにヘキサメチレンジアミンから誘導されることを特徴とする前記１．に記載の管。
３．モノマー（ｉｉｉ）の前記脂肪族ジカルボン酸が、ノナン二酸、デカン二酸、ウンデカン二酸、ドデカン二酸、トリデカン二酸、およびテトラデカン二酸の１つまたは複数から選択され、（ｉｉｉ）の前記脂肪族ジアミンがヘキサメチレンジアム（ｈｅｘａｍｅｔｈｙｌｅｎｅｄｉａｍｅ）であることを特徴とする前記１．に記載の管。
４．前記ラクタムおよび／またはアミノカルボン酸が、ラウロラクタム、カプロラクタム、および１１−アミノウンデカン酸の少なくとも１つであることを特徴とする前記１．に記載の管。
５．前記コポリアミドが、約８０〜約９９重量パーセントで存在し、約１〜約２０重量パーセントの可塑剤をさらに含み、重量パーセント値が前記組成物の全重量を基準としていることを特徴とする前記１．に記載の管。
６．前記可塑剤がスルホンアミドであることを特徴とする前記５．に記載の管。
７．前記可塑剤が、Ｎ−ブチルベンゼンスルホンアミド、Ｎ−（２−ヒドロキシプロピル）ベンゼンスルホンアミド、Ｎ−エチル−ｏ−トルエンスルホンアミド、Ｎ−エチル−ｐ−トルエンスルホンアミド、ｏ−トルエンスルホンアミド、およびｐ−トルエンスルホンアミドの１つまたは複数であることを特徴とする前記５．に記載の管。
８．ポリアミド組成物が、熱安定剤、酸化安定剤、および／または光安定剤；離型剤；着色剤；ならびに潤滑剤の１つまたは複数をさらに含むことを特徴とする前記１．に記載の管。
９．前記コポリアミドが少なくとも約４０μｅｑ／ｇのアミン末端を有することを特徴とする前記１．に記載の管。
１０．前記コポリアミドが少なくとも約５０μｅｑ／ｇのアミン末端を有することを特徴とする前記１．に記載の管。
１１．前記コポリアミドが少なくとも約６０μｅｑ／ｇのアミン末端を有することを特徴とする前記１．に記載の管。
１２．前記コポリアミドの融点が約２３０℃以下であることを特徴とする前記１．に記載の管。
１３．前記コポリアミドの融点が約２２０℃以下であることを特徴とする前記１．に記載の管。
１４．多層管の形態であることを特徴とする前記１．に記載の管。
１５．海底油送管の形態であることを特徴とする前記１．に記載の管。
１６．可撓性管の形態であることを特徴とする前記１．に記載の管。
【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
コポリアミドを含むポリアミド組成物であって、前記コポリアミドは、
（ａ）（ｉ）８〜２０個の炭素原子を有する少なくとも１つの芳香族ジカルボン酸、および／または８〜２０個の炭素原子を有する少なくとも１つの脂環式ジカルボン酸、ならびに４〜２０個の炭素原子を有する少なくとも１つの脂肪族ジアミン、ならびに
（ｉｉ）６〜２０個の炭素原子を有する少なくとも１つの芳香族ジアミン、および／または６〜２０個の炭素原子を有する少なくとも１つの脂環式ジアミン、ならびに４〜２０個の炭素原子を有する少なくとも１つの脂肪族ジカルボン酸
からなる群の１つまたは複数から選択されるモノマーから誘導される繰り返し単位と、
（ｂ）（ｉｉｉ）６〜３６個の炭素原子を有する少なくとも１つの脂肪族ジカルボン酸、および４〜２０個の炭素原子を有する少なくとも１つの脂肪族ジアミン、ならびに
（ｉｖ）４〜２０個の炭素原子を有する少なくとも１つのラクタムおよび／またはアミノカルボン酸
からなる群の１つまたは複数から選択されるモノマーから誘導される繰り返し単位と
を含み；
前記コポリアミドが、約２４０℃以下の融点と、少なくとも約３０μｅｑ／ｇのアミン末端と、ｍ−クレゾール中で測定して少なくとも約１．２の固有粘度とを有することを特徴とするポリアミド組成物。
【請求項２】
請求項１に記載のポリアミド組成物を含むことを特徴とする物品。
【手続補正２】
【補正対象書類名】明細書
【補正対象項目名】００５２
【補正方法】変更
【補正の内容】
【００５２】
Ｅ２（６５重量パーセント）およびＥ３（３５重量パーセント）のペレットを、ドラム中で混転することによって乾式混合した。これより得られたキューブ状のブレンドを成形機中で標準ＩＳＯ試験片に成形した。得られたＥ２／Ｅ３溶融混合物は、６４．３μｅｑ／ｇのアミン末端および８２．５μｅｑ／ｇの酸末端を有した。ＩＳＯ試験片を使用して、Ｅ２／Ｅ３溶融混合物の耐加水分解性を測定した。結果を表４に示す。５００時間における％ＣＩＶ低下率を計算すると−９．０％であった。
本発明は以下の実施の態様を含むものである。
１．コポリアミドを含むポリアミド組成物であって、前記コポリアミドは、
（ａ）（ｉ）８〜２０個の炭素原子を有する少なくとも１つの芳香族ジカルボン酸、および／または８〜２０個の炭素原子を有する少なくとも１つの脂環式ジカルボン酸、ならびに４〜２０個の炭素原子を有する少なくとも１つの脂肪族ジアミン、ならびに
（ｉｉ）６〜２０個の炭素原子を有する少なくとも１つの芳香族ジアミン、および／または６〜２０個の炭素原子を有する少なくとも１つの脂環式ジアミン、ならびに４〜２０個の炭素原子を有する少なくとも１つの脂肪族ジカルボン酸
からなる群の１つまたは複数から選択されるモノマーから誘導される繰り返し単位と、
（ｂ）（ｉｉｉ）６〜３６個の炭素原子を有する少なくとも１つの脂肪族ジカルボン酸、および４〜２０個の炭素原子を有する少なくとも１つの脂肪族ジアミン、ならびに
（ｉｖ）４〜２０個の炭素原子を有する少なくとも１つのラクタムおよび／またはアミノカルボン酸
からなる群の１つまたは複数から選択されるモノマーから誘導される繰り返し単位と
を含み；
前記コポリアミドが、約２４０℃以下の融点と、少なくとも約３０μｅｑ／ｇのアミン末端と、ｍ−クレゾール中で測定して少なくとも約１．２の固有粘度とを有することを特徴とするポリアミド組成物。
２．繰り返し単位（ｂ）がデカン二酸および／またはドデカン二酸、ならびにヘキサメチレンジアミンから誘導されることを特徴とする前記１．に記載のポリアミド組成物。
３．モノマー（ｉｉｉ）の前記脂肪族ジカルボン酸が、ノナン二酸、デカン二酸、ウンデカン二酸、ドデカン二酸、トリデカン二酸、およびテトラデカン二酸の１つまたは複数から選択され、（ｉｉｉ）の前記脂肪族ジアミンがヘキサメチレンジアム（ｈｅｘａｍｅｔｈｙｌｅｎｅｄｉａｍｅ）であることを特徴とする前記１．に記載のポリアミド組成物。
４．前記ラクタムおよび／またはアミノカルボン酸が、ラウロラクタム、カプロラクタム、および１１−アミノウンデカン酸の少なくとも１つであることを特徴とする前記１．に記載のポリアミド組成物。
５．前記コポリアミドが、約８０〜約９９重量パーセントで存在し、約１〜約２０重量パーセントの可塑剤をさらに含み、重量パーセント値が前記組成物の全重量を基準としていることを特徴とする前記１．に記載のポリアミド組成物。
６．前記可塑剤がスルホンアミドであることを特徴とする前記５．に記載のポリアミド組成物。
７．前記可塑剤が、Ｎ−ブチルベンゼンスルホンアミド、Ｎ−（２−ヒドロキシプロピル）ベンゼンスルホンアミド、Ｎ−エチル−ｏ−トルエンスルホンアミド、Ｎ−エチル−ｐ−トルエンスルホンアミド、ｏ−トルエンスルホンアミド、およびｐ−トルエンスルホンアミドの１つまたは複数であることを特徴とする前記５．に記載のポリアミド組成物。
８．熱安定剤、酸化安定剤、および／または光安定剤；離型剤；着色剤；ならびに潤滑剤の１つまたは複数をさらに含むことを特徴とする前記１．に記載のポリアミド組成物。
９．前記コポリアミドが少なくとも約４０μｅｑ／ｇのアミン末端を有することを特徴とする前記１．に記載のポリアミド組成物。
１０．前記コポリアミドが少なくとも約５０μｅｑ／ｇのアミン末端を有することを特徴とする前記１．に記載のポリアミド組成物。
１１．前記コポリアミドが少なくとも約６０μｅｑ／ｇのアミン末端を有することを特徴とする前記１．に記載のポリアミド組成物。
１２．前記コポリアミドの融点が約２３０℃以下であることを特徴とする前記１．に記載のポリアミド組成物。
１３．前記コポリアミドの融点が約２２０℃以下であることを特徴とする前記１．に記載のポリアミド組成物。
１４．前記１．に記載のポリアミド組成物を含むことを特徴とする物品。
【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
少なくとも１つのポリアミド内管と、前記少なくとも１つのポリアミド内管を取り囲む外部ケーシングとを含む海底用アンビリカルにおいて、
前記少なくとも１つのポリアミド内管が、
（ａ）（ｉ）８〜２０個の炭素原子を有する少なくとも１つの芳香族ジカルボン酸、および／または８〜２０個の炭素原子を有する少なくとも１つの脂環式ジカルボン酸、ならびに４〜２０個の炭素原子を有する少なくとも１つの脂肪族ジアミン、ならびに
（ｉｉ）６〜２０個の炭素原子を有する少なくとも１つの芳香族ジアミン、および／または６〜２０個の炭素原子を有する少なくとも１つの脂環式ジアミン、ならびに４〜２０個の炭素原子を有する少なくとも１つの脂肪族ジカルボン酸
からなる群の１つまたは複数から選択されるモノマーから誘導される繰り返し単位と、
（ｂ）（ｉｉｉ）６〜３６個の炭素原子を有する少なくとも１つの脂肪族ジカルボン酸、および４〜２０個の炭素原子を有する少なくとも１つの脂肪族ジアミン、ならびに
（ｉｖ）４〜２０個の炭素原子を有する少なくとも１つのラクタムおよび／またはアミノカルボン酸
からなる群の１つまたは複数から選択されるモノマーから誘導される繰り返し単位と
を含むコポリアミドを含むポリアミド組成物であって；
前記コポリアミドが、約２４０℃以下の融点と、少なくとも約３０μｅｑ／ｇのアミン末端と、ｍ−クレゾール中で測定して少なくとも約１．２の固有粘度とを有する、ポリアミド組成物を含むことを特徴とするアンビリカル。
【手続補正２】
【補正対象書類名】明細書
【補正対象項目名】００２７
【補正方法】変更
【補正の内容】
【００２７】
本発明の内管１１は、押出成形などの当業者に周知のあらゆる方法によって形成することができる。管１１が複数の層を含む場合、本発明において使用されるポリアミド組成物を、ポリマー層および金属層などの１つまたは複数の追加層の上に押し出すことができる。あるいは、押出成形または巻き付けなどの当技術分野において周知のあらゆる方法によって、本発明において使用されるポリアミドを含む少なくとも１つの層を含む管に追加層を加えることができる。本発明の海底用アンビリカルは、当技術分野において周知のあらゆる好適な方法によって形成される。
本発明は以下の実施の態様を含むものである。
１．少なくとも１つのポリアミド内管と、前記少なくとも１つのポリアミド内管を取り囲む外部ケーシングとを含む海底用アンビリカルにおいて、
前記少なくとも１つのポリアミド内管が、
（ａ）（ｉ）８〜２０個の炭素原子を有する少なくとも１つの芳香族ジカルボン酸、および／または８〜２０個の炭素原子を有する少なくとも１つの脂環式ジカルボン酸、ならびに４〜２０個の炭素原子を有する少なくとも１つの脂肪族ジアミン、ならびに
（ｉｉ）６〜２０個の炭素原子を有する少なくとも１つの芳香族ジアミン、および／または６〜２０個の炭素原子を有する少なくとも１つの脂環式ジアミン、ならびに４〜２０個の炭素原子を有する少なくとも１つの脂肪族ジカルボン酸
からなる群の１つまたは複数から選択されるモノマーから誘導される繰り返し単位と、
（ｂ）（ｉｉｉ）６〜３６個の炭素原子を有する少なくとも１つの脂肪族ジカルボン酸、および４〜２０個の炭素原子を有する少なくとも１つの脂肪族ジアミン、ならびに
（ｉｖ）４〜２０個の炭素原子を有する少なくとも１つのラクタムおよび／またはアミノカルボン酸
からなる群の１つまたは複数から選択されるモノマーから誘導される繰り返し単位と
を含むコポリアミドを含むポリアミド組成物であって；
前記コポリアミドが、約２４０℃以下の融点と、少なくとも約３０μｅｑ／ｇのアミン末端と、ｍ−クレゾール中で測定して少なくとも約１．２の固有粘度とを有する、ポリアミド組成物を含むことを特徴とするアンビリカル。
２．繰り返し単位（ｂ）がデカン二酸および／またはドデカン二酸、ならびにヘキサメチレンジアミンから誘導されることを特徴とする前記１．に記載のアンビリカル。
３．モノマー（ｉｉｉ）の前記脂肪族ジカルボン酸が、ノナン二酸、デカン二酸、ウンデカン二酸、ドデカン二酸、トリデカン二酸、およびテトラデカン二酸の１つまたは複数から選択され、（ｉｉｉ）の前記脂肪族ジアミンがヘキサメチレンジアム（ｈｅｘａｍｅｔｈｙｌｅｎｅｄｉａｍｅ）であることを特徴とする前記１．に記載のアンビリカル。
４．前記ラクタムおよび／またはアミノカルボン酸が、ラウロラクタム、カプロラクタム、および１１−アミノウンデカン酸の少なくとも１つであることを特徴とする前記１．に記載のアンビリカル。
５．前記コポリアミドが、約８０〜約９９重量パーセントで存在し、約１〜約２０重量パーセントの可塑剤をさらに含み、重量パーセント値が前記組成物の全重量を基準としていることを特徴とする前記１．に記載のアンビリカル。
６．前記可塑剤がスルホンアミドであることを特徴とする前記５．に記載のアンビリカル。
７．前記可塑剤が、Ｎ−ブチルベンゼンスルホンアミド、Ｎ−（２−ヒドロキシプロピル）ベンゼンスルホンアミド、Ｎ−エチル−ｏ−トルエンスルホンアミド、Ｎ−エチル−ｐ−トルエンスルホンアミド、ｏ−トルエンスルホンアミド、およびｐ−トルエンスルホンアミドの１つまたは複数であることを特徴とする前記５．に記載のアンビリカル。
８．熱安定剤、酸化安定剤、および／または光安定剤；離型剤；着色剤；ならびに潤滑剤の１つまたは複数をさらに含むことを特徴とする前記１．に記載のアンビリカル。
９．前記コポリアミドが少なくとも約４０μｅｑ／ｇのアミン末端を有することを特徴とする前記１．に記載のアンビリカル。
１０．前記コポリアミドが少なくとも約５０μｅｑ／ｇのアミン末端を有することを特徴とする前記１．に記載のアンビリカル。
１１．前記コポリアミドが少なくとも約６０μｅｑ／ｇのアミン末端を有することを特徴とする前記１．に記載のアンビリカル。
１２．前記コポリアミドの融点が約２３０℃以下であることを特徴とする前記１．に記載のアンビリカル。
１３．前記コポリアミドの融点が約２２０℃以下であることを特徴とする前記１．に記載のアンビリカル。
【手続補正書】
【提出日】平成21年10月5日(2009.10.5)
【手続補正１】
【補正対象書類名】特許請求の範囲
【補正対象項目名】全文
【補正方法】変更
【補正の内容】
【特許請求の範囲】
【請求項１】
（ａ）少なくとも１種の超吸収性ポリマー、および
（ｂ）指示剤およびｐＨ調整剤を含む少なくとも１種の濡れインジケータ、および
（ｃ）少なくとも１種の水不溶性熱可塑性ポリマー組成物
を含む濡れ指示組成物。
【請求項２】
界面活性剤、およびナノクレー粉末からなる群の中から選ばれる少なくとも１種の追加の物質をさらに含む請求項１に記載の濡れ指示組成物。
【請求項３】
前記水不溶性熱可塑性ポリマー組成物が、粘着付与剤および可塑剤からなる群から選ばれる少なくとも１種の追加の物質をさらに含む請求項１に記載の濡れ指示組成物。
【請求項４】
少なくとも１種の超吸収性ポリマー、少なくとも１種の水不溶性熱可塑性ポリマー組成物および少なくとも１種の濡れインジケータを、好適な容器中で一緒に組み合わせる工程、ついでこれら成分を、加熱下に、均一な組成物が得られるまで混合する工程を含む方法によって得られ、前記濡れインジケータは、指示剤およびｐＨ調整剤を含む濡れ指示組成物。
【請求項５】
（ａ）前記超吸収性ポリマー、前記水不溶性熱可塑性ポリマー組成物および前記濡れインジケータを、好適な容器中で組み合わせる工程、および
（ｂ）これら成分を、加熱下に、均一な組成物が得られるまで混合する工程
を含む、請求項４に記載の濡れ指示組成物を製造する方法。
【請求項６】
表面の一部に請求項１に記載の組成物を有する基材を備える使い捨て吸収性物品。
【請求項７】
オムツ、女性用ナプキン、包帯、並びに人用および動物用寝具からなる群から選ばれる請求項８に記載の使い捨て吸収性物品。
【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
８０ｎｍ以上のストークスシフトとともに吸収極大３５０ｎｍないし５５０ｎｍ及び発光極大５５０ｎｍないし７００ｎｍを有するマイクロカプセル化発光顔料であって、マイクロカプセルのシェルが架橋ポリマーから形成されているところの発光顔料。
【請求項２】
前記発光顔料が
【化１】
2009511686.tif 000001
（式中、Ｒ101及びＲ102は独立して水素原子又は炭素原子数１ないし１８のアルキル基を表す。）の縮合生成物である請求項１に記載のマイクロカプセル化発光顔料。
【請求項３】
付加的に前記マイクロカプセルに酸化防止剤、ホスフィット又はホスホナイト、ＵＶ吸収剤、光安定剤、一重項酸素失活剤、更なる蛍光染料又は顔料、加工助剤、帯電防止剤、防曇剤及び充填剤又は強化材料からなる群から選ばれる更なる添加剤を含有する、請求項１に記載のマイクロカプセル化発光顔料。
【請求項４】
ａ）熱可塑性ポリマー、エラストマー性ポリマー又は架橋ポリマー及び
ｂ）８０ｎｍ以上のストークスシフトを有し、吸収極大３５０ｎｍないし５５０ｎｍ及び発光極大５５０ｎｍないし７００ｎｍを有するマイクロカプセル化発光顔料であって、マイクロカプセルのシェルが架橋ポリマーから形成されているところの発光顔料
を含むポリマー組成物。
【請求項５】
請求項４に記載のポリマー組成物の上、後ろ又は下で化学線に植物をさらすことを含む植物成長増進のための方法。
【請求項６】
温室用及び小さいトンネルカバー用フィルム、日除けネット及びスクリーンのためのフィルム又はフィラメント、根覆いフィルム、若い植物の保護のための不織布又は成形品の形態にある農業用途のための熱可塑性ポリマーにおける植物成長増進添加剤としての請求項１に記載のマイクロカプセル化発光顔料の使用。
【請求項７】
電気又は電子用途における光変換添加剤としての請求項１に記載のマイクロカプセル化発光顔料の使用。
【請求項８】
太陽電池における光変換添加剤としての請求項１に記載のマイクロカプセル化発光顔料の使用。
【手続補正書】
【提出日】平成21年8月11日(2009.8.11)
【手続補正１】
【補正対象書類名】特許請求の範囲
【補正対象項目名】全文
【補正方法】変更
【補正の内容】
【特許請求の範囲】
【請求項１】
重量％で
Ａ）プロピレンと、エチレン及びＣＨ２＝ＣＨＲα−オレフィン（式中、Ｒは２〜８個の炭素原子アルキルである）から選択される１種以上のコモノマーとのコポリマー１０〜５０％であり、当該コポリマーは１〜８％のコモノマーを含有する；
Ｂ）エチレンと、（ｉ）プロピレン又は（ｉｉ）ＣＨ２＝ＣＨＲα−オレフィン（式中、Ｒは２〜８個の炭素原子アルキル基である）、又は（ｉｉｉ）それらの組み合わせとのコポリマー５０〜９０％であり、場合により、少量のジエンを含み、５７〜８０％のエチレンを含有する；
からなる弾塑性ポリオレフィン組成物であって、コポリマー成分（Ｂ）の含量Ｂ対室温におけるキシレンに可溶な画分ＸＳの重量比Ｂ／ＸＳが、（Ａ）＋（Ｂ）の総重量に関して、１．５以下であり、前記ＸＳ画分の極限粘度［η］が３ｄｌ／ｇ以上である、前記弾塑性ポリオレフィン組成物。
【請求項２】
０．０１〜１０ｇ／１０分のＭＦＲ値を有する、請求項１に記載の弾塑性ポリオレフィン組成物。
【請求項３】
少なくとも２段の逐次段階を含み、成分（Ａ）及び（Ｂ）を別の続いて起こる段階で調製し、最初の段階を除いて、先行段階で生成したポリマー及び先行段階で使用した触媒の存在下で、各段階で操作する請求項１に記載の弾塑性ポリオレフィン組成物の製造のための重合方法。
【請求項４】
請求項１に記載の弾塑性ポリオレフィン組成物を含む、製造物品。
【請求項５】
シート、自動車用表皮層、ブロー成形物品又はフィルムの形態の請求項４に記載の製造物品。
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
式（１）Ｄ1−（Ｚ1）r−Ｙ1−Ｓ−Ａ
（式中、
Ａは水素原子；又は式（１ａ）＊−Ｓ−Ｙ2−（Ｚ2）r−Ｄ2で表される基を表し；
Ｙ1及びＹ2は、夫々互いに独立して、非置換の又は置換された、直鎖又は分枝鎖の、中断された又は中断されていない、炭素原子数１乃至１０のアルキレン基；炭素原子数５乃至１０のシクロアルキレン基；炭素原子数５乃至１０のアリーレン基；又は炭素原子数５乃至１０のアリーレン基−（炭素原子数１乃至１０のアルキレン基）を表し；
Ｚ1及びＺ2は、夫々互いに独立して、
【化１】
2009511650.tif 000001
を表し；又は式
【化２】
2009511650.tif 000002
で表される置換された又は非置換の芳香族又はヘテロ芳香族化合物のカチオン性バイラジ
カルを表し；ここで、
アスタリスク＊はＤ1及び／又はＤ2への結合を表し；
アスタリスク＊＊はＹ1及び／又はＹ2への結合を表し；
Ｗ1はＮ又はＣＲ5基を表し；
Ｒ1、Ｒ2、Ｒ3、Ｒ4及びＲ5は、夫々互いに独立して、水素原子；炭素原子数１乃至１４
のアルキル基；炭素原子数２乃至１４のアルケニル基；炭素原子数５乃至１０のアリール基；炭素原子数５乃至１０のアリール基−（炭素原子数１乃至１０のアルキル基）；又は−炭素原子数１乃至１０のアルキル基（炭素原子数５乃至１０のアリール基）を表す。）；
Ｄ1及びＤ2は、夫々互いに独立して、式
【化３】
2009511650.tif 000003
で表される基より選択される有機染料の残基を表し、
Ｒ6及びＲ7は、夫々互いに独立して、水素原子；炭素原子数１乃至２０のアルキル基；炭素原子数１乃至２０のアルコキシ基；炭素原子数３乃至６のシクロアルキル基；炭素原子数５乃至１０のアリール基；アニレート（ａｎｅｌｌａｔｅｄ）された芳香族基；カルボキシレート；又はスルホネート基を表し；
Ｒ8、Ｒ9及びＲ10、Ｒ11及びＲ12は、夫々互いに独立して、水素原子；非置換の又は置換された、直鎖の又は分枝鎖の、単環又は多環の、中断された又は中断されていない、炭素原子数１乃至１４のアルキル基、炭素原子数２乃至１４のアルケニル基、炭素原子数６乃至１０のアリール基、炭素原子数６乃至１０のアリール−炭素原子数１乃至１０のアルキル基又は炭素原子数５乃至１０のアルキル基（炭素原子数５乃至１０のアリール基）を表し；又は、
Ｒ8及びＲ9又はＲ10及びＲ11は、結合窒素原子と一緒に、一種以上のヘテロ原子を含み得る５乃至７員の炭素環を形成し；又は、
Ｒ8はＮ+と一緒にＣ1に結合して、５乃至７員の炭素環を形成し；又は、
Ｒ9はＮ+と一緒にＣ2に結合して、５乃至７員の炭素環を形成し；
Ｘは−Ｏ−；又は−Ｎ（Ｒ9）−；又は−Ｓ−を表し；
ｐは０乃至５の数を表し；
ｒは０又は１を表し；そして
ｓは１乃至５の数を表す。）
で表される化合物。
【請求項２】
請求項１で定義された式（１）で表される少なくとも一種の化合物で繊維を処理することを含む、ケラチン含有繊維の染色方法。
【請求項３】
少なくとも一種の請求項１で定義された式（１）で表される化合物を含む組成物。